(57)【特許請求の範囲】
【請求項１】
舗装した車道又は歩道の境界において縁石を構成する単純な矩形状若しくは片側若しくは両側に勾配を設けた単純な台形状の断面形状を有した境界ブロックを配置するための側溝部材であって、
当該側溝部材は、施工された際に上面を地表面に露出させる台形状の隆起部と、当該隆起部と並行を成す他の隆起部若しくは突起を有し、当該他の隆起部若しくは突起の高さを前記地表面に露出させる台形状の隆起部の上面よりも低く形成することにより、施工された際に上面が舗装材によって覆われるように構成するとともに、当該他の隆起部若しくは突起が有する傾斜した側面壁と前記台形状の隆起部が有する側面壁との間に前記境界ブロックを載置する載置凹部を長手方向に沿って有し、
前記載置凹部の幅を前記境界ブロックの最大幅を成す底幅よりも広く形成するとともに、当該載置凹部の側壁面と前記境界ブロックの底部付近の側面との間に、路面を構成する前記舗装材を充填可能な空間を設けたことを特徴とする側溝部材。
【請求項２】
舗装した車道又は歩道の境界において縁石を構成する単純な矩形状若しくは片側若しくは両側に勾配を設けた単純な台形状の断面形状を有した境界ブロックを配置するための側溝板であって、
当該側溝板は、施工された際に上面を地表面に露出させる台形状の隆起部と、当該隆起部と並行を成す他の隆起部若しくは突起を有し、当該他の隆起部若しくは突起の高さを前記地表面に露出させる台形状の隆起部の上面よりも低く形成することにより、施工された際に上面が舗装材によって覆われるように構成するとともに、当該他の隆起部若しくは突起が有する傾斜した側面壁と前記台形状の隆起部が有する側面壁との間に前記境界ブロックを載置する載置凹部を長手方向に沿って有し、
前記載置凹部の幅を前記境界ブロックの最大幅を成す底幅よりも広く形成するとともに、当該載置凹部の側壁面と前記境界ブロックの側面との間に、路面を構成する前記舗装材を充填可能な空間を設けたことを特徴とする側溝板。
【請求項３】
舗装した車道又は歩道の境界において縁石を構成する単純な矩形状若しくは片側若しくは両側に勾配を設けた単純な台形状の断面形状を有した境界ブロックを配置するための基礎ブロックであって、
当該基礎ブロックは、施工された際に上面を地表面に露出させる台形状の隆起部と、当該隆起部と並行を成す他の隆起部若しくは突起を有し、当該他の隆起部若しくは突起の高さを前記地表面に露出させる台形状の隆起部の上面よりも低く形成することにより、施工された際に上面が舗装材によって覆われるように構成するとともに、当該他の隆起部若しくは突起が有する傾斜した側面壁と前記台形状の隆起部が有する側面壁との間に前記境界ブロックを載置する載置凹部を長手方向に沿って有し、
前記載置凹部の幅を前記境界ブロックの最大幅を成す底幅よりも広く形成するとともに、当該載置凹部の側壁面と前記境界ブロックの底部付近の側面との間に、路面を構成する前記舗装材を充填可能な空間を設けたことを特徴とする基礎ブロック。
【請求項４】
舗装した車道又は歩道の境界において縁石を構成する単純な矩形状若しくは片側若しくは両側に勾配を設けた単純な台形状の断面形状を有した境界ブロックと、
施工された際に上面を地表面に露出させる台形状の隆起部と、当該隆起部と並行を成す他の隆起部若しくは突起を有し、当該他の隆起部若しくは突起は、傾斜した側壁面を有するとともに、高さを、前記地表面に露出させる台形状の隆起部の上面よりも低く形成することにより、施工された際に上面が舗装材によって覆われるように構成し、かつ、当該他の隆起部若しくは突起が有する前記傾斜した側面壁と前記台形状の隆起部が有する側面壁との間に前記当該境界ブロックを載置する載置凹部を長手方向に沿って有する側溝部材、側溝板若しくは基礎ブロックを有し、
前記載置凹部の幅を前記境界ブロックの最大幅を成す幅よりも広く形成するとともに、当該載置凹部の一部と、前記他の隆起部若しくは突起が有する傾斜した側壁面と、前記境界ブロックの底部付近の側面と、からなる空間に、路面を構成する前記舗装材を充填したことを特徴とする防草機能を有した舗装路の境界構造。
【請求項５】
縁石を構成する単純な矩形状若しくは片側若しくは両側に勾配を設けた単純な台形状の断面形状を有した境界ブロックと、
施工された際に上面を地表面に露出させる台形状の隆起部と、当該隆起部と並行を成す他の隆起部若しくは突起を有し、当該他の隆起部若しくは突起は、傾斜した側壁面を有するとともに、高さを、前記地表面に露出させる台形状の隆起部の上面よりも低く形成することにより、施工された際に上面が舗装材によって覆われるように構成し、かつ、当該他の隆起部若しくは突起の傾斜した側壁面と前記台形状の隆起部が有する側面壁との間に前記境界ブロックを載置する載置凹部を長手方向に沿って有する側溝部材と、
の２種類の別体であるコンクリートブロックからなり、
前記載置凹部の幅が前記境界ブロックの最大幅を成す底幅よりも広く形成され、前記他の隆起部若しくは突起が有する傾斜した側壁面と、当該傾斜した側壁面に近接する前記載置凹部の底部の一部と、前記境界ブロックの底部付近の側面との組合せにより防草のための切り欠き形状を形成するコンクリートブロックセット。
【発明の詳細な説明】
【技術分野】
【０００１】
本発明は、防草機能を備えた境界ブロック設置用の側溝部材、側溝板、基礎ブロック、および、防草機能を有した舗装路の境界構造、ならびに、コンクリートブロックセットに関するものである。
【背景技術】
【０００２】
舗装した車道と歩道等の舗装路を設ける際、その舗装路の境界には縁石を構成する境界ブロックが設けられる。境界ブロックの設置方法は様々であるが、函渠型側溝や板状の側溝（側溝板）を形成する境界ブロック設置用基礎部材等のコンクリート製の構造物上に固定する方法が主流である。
防草を意図した境界ブロックとして特許文献１記載の境界ブロックがある。この境界ブロックは、歩道側の上端側部の角に切り込みを設け、この切り込みを覆うように歩道のアスファルト舗装を重ね合わせて接合することで、この接合部から侵入した雑草の成長を抑止するというものである。これは根が、重力の方向に逆らって伸びない性質を利用したものであり、切り込みを超えて根が伸びないように構成したものである。その他、防草用の段差部を設けた特許文献２記載の境界ブロックがある。
【０００３】
また、図１４、図１５、図１６、図１７に示すような従来型の側溝部材を用いた防草機能を有する境界構造が提案されている。図１４は、従来型の側溝部材６００に装着した境界ブロック６０１による防草構造を示している。この境界ブロック６０１は、歩道を構成する舗装材によって覆われる楔状の切り欠きを伴う鋭角突起６０２を有したものである。このような鋭角突起６０２を有する境界ブロック６０１は特殊な形状のため流通量が少なく価格が高価になりやすい。また、鋭角突起６０２の先端は尖っているので破損しやすいという欠点を有している。
【０００４】
図１５に示した境界ブロック６０３は、歩道を構成する舗装材によって覆われる楔状の切り欠きを伴う鋭角突起６０４を有している。境界ブロック６０３も同様に、鋭角突起６０４を有しており特殊な形状のため流通量が少なく価格が高価になりやすい。また、鋭角突起６０４は破損しやすいという欠点を有している。さらに、近年都市部において採用が進んでいるセミフラット型を例に取ると、歩道の高さは、車道面に対して５０mm高く設定することを標準とするが、横断歩道部は高低差２０mmまで低く擦り付けるように設定しなければならない。この場合、図１５のように、境界ブロック自体が薄い構造になるため、鋭角突起６０４の接続部分が割れないように厚みを持たせると、防草トラップとなるべき切り欠き形状の条件を満足することができず、防草トラップを形成することができない。
【０００５】
図１６に示した境界ブロック６０５は、歩道を構成する舗装材によって覆われる楔状の切り欠きを伴う鋭角突起６０６を有している。境界ブロック６０５も同様に、鋭角突起６０６を有しており特殊な形状のため流通量が少なく価格が高価になりやすい。また、境界ブロック６０５は全高が低いため、鋭角突起６０６を設けた部位が薄肉になりやすく、きわめて破損しやすいという欠点を有している。なお、図１５、図１６の提案については、これらの欠点により、実際の製品としての製造や使用は現状できていない。
【０００６】
図１７に示した境界ブロック６０７は、歩道を構成する舗装材によって覆われる楔状の切り欠きを伴う鋭角突起６０８を有している。境界ブロック６０５も同様に、鋭角突起６０８を有しており特殊な形状のため流通量が少なく価格が高価になりやすい。また、鋭角突起６０６自体が破損しやすいという欠点を有している。
【先行技術文献】
【特許文献】
【０００７】
【特許文献１】特許第４７０７７６２号公報
【特許文献２】実用新案登録第３１８２３４５号公報
【発明の概要】
【発明が解決しようとする課題】
【０００８】
上記特許文献１、特許文献２および図１４〜図１７に示した従来例のように、上方に向かって根が伸びないという植物の性質を利用した防草用の境界ブロックがある。アスファルト等の舗装材によって覆われる境界ブロックの外形部分に凹部を形成することで防草効果を発揮させることはできるが、このような凹部を形成するには外形上に突出した部分や角部が形成されることになる。
このよう外観形状は、防草面では効果があるものの、運搬や施工時に破損が生じやすく、汎用性に欠けるため既存の境界ブロックに比べて高価なものとなり一般的に流通しにくいものとなる。
本発明は当該事情に鑑み発明されたものであって、一般的に流通している既存の各種の境界ブロックを使用して、防草効果を発揮させることができる境界構造および各種の手段を提供することを課題とするものである。
【課題を解決するための手段】
【０００９】
上記課題を解決するために本発明は以下の構成を有する。すなわち、
舗装した車道又は歩道の境界において縁石を構成する矩形状若しくは台形状の断面形状を有した境界ブロックを配置するための側溝部材であって、
当該側溝部材は、前記境界ブロックを載置する載置凹部を長手方向に沿って有し、
前記載置凹部の幅を前記境界ブロックの底幅よりも広く形成するとともに、当該載置凹部の側壁面と前記境界ブロックの底部付近の側面との間に、路面を構成する舗装材を充填可能な空間を設けたことを特徴とする側溝部材。
【００１０】
舗装した車道又は歩道の境界において縁石を構成する矩形状若しくは台形状の断面形状を有した境界ブロックを配置するための側溝板であって、
当該側溝板は、前記境界ブロックを載置する載置凹部を長手方向に沿って有し、
前記載置凹部の幅を前記境界ブロックの底幅よりも広く形成するとともに、当該載置凹部の側壁面と前記境界ブロックの側面との間に、路面を構成する舗装材を充填可能な空間を設けたことを特徴とする側溝板。
【００１１】
舗装した車道又は歩道の境界において縁石を構成する矩形状若しくは台形状の断面形状を有した境界ブロックを配置するための基礎ブロックであって、
当該基礎ブロックは、前記境界ブロックを載置する載置凹部を長手方向に沿って有し、
前記載置凹部の幅を前記境界ブロックの底幅よりも広く形成するとともに、当該載置凹部の側壁面と前記境界ブロックの底部付近の側面との間に、路面を構成する舗装材を充填可能な空間を設けたことを特徴とする基礎ブロック。
【００１２】
舗装した車道又は歩道の境界において縁石を構成する矩形状若しくは台形状の断面形状を有した境界ブロックと、
前記当該境界ブロックを載置する載置凹部を長手方向に沿って有した地中に埋設する側溝部材、側溝板若しくは基礎ブロックを有し、
前記載置凹部の幅を前記境界ブロックの幅よりも広く形成するとともに、当該載置凹部の側壁面と前記境界ブロックの底部付近の側面との間の空間に、路面を構成する舗装材を充填したことを特徴とする防草機能を有した舗装路の境界構造。
【００１３】
縁石を構成する矩形状若しくは台形状の断面形状を有した境界ブロックと、
前記境界ブロックを載置する載置凹部を長手方向に沿って有する側溝部材との２種類の別体であるコンクリートブロックからなり、
前記載置凹部の幅が前記境界ブロックの底幅よりも広く形成され、
当該載置凹部の側壁面および当該載置凹部の側壁面に近接する前記載置凹部の底部の一部と、
前記境界ブロックの底部付近の側面との組合せにより防草のための切り欠き形状を形成するコンクリートブロックセット。
【００１４】
なお、前記コンクリートブロックセットを構成する側溝部材は、上壁の上面部分に台形状の隆起部を有し、
前記側溝部材の舗装道路側の上部角部に前記隆起部の舗装道路側の側面の下端から連続する楔状の断面形状を有する切り欠き状の凹部を有することを特徴とする、コンクリートブロックセットとしても実施することが可能であると考えられる。
側溝部材下端から連続する楔状の断面形状を有し舗装道路側に形成される切り欠きは、縁石に形成される楔状の断面形状を有する切り欠きに比すれば、角度やサイズの調整などの工夫により、破損のしやすさや施工の困難などの不都合を克服できる余地がある。この場合には、本件発明と組み合わせて用いる価値が出て来る可能性があるためである。
【発明の効果】
【００１５】
本発明は、外観上凹凸の少ない汎用性が高い境界ブロックを使用するにも関わらず、防草効果の高い舗装路の境界構造を提供することができるという効果を有している。
【図面の簡単な説明】
【００１６】
【図１】本発明に使用する一般的な境界ブロックの説明図である。
【図２】本発明にかかる内部に排水管路を有した側溝部材の断面図である。
【図３】本発明にかかる境界構造の外観斜視図である。
【図４】本発明にかかる境界構造の一例を表した断面図である。
【図５】図４に示したA部の拡大図である。
【図６】他の形状の側溝部材を用いた境界構造の説明図である。
【図７】さらに他の形状の側溝部材を用いた境界構造の説明図である。
【図８】JIS規格Ａ型の境界ブロックを用いた境界構造の説明図である。
【図９】JIS規格Ｂ型の境界ブロックを用いた境界構造の説明図である。
【図１０】JIS規格Ｃ型の境界ブロックを用いた境界構造の説明図である。
【図１１】板状の側溝板と境界ブロックによる境界構造の説明図である。
【図１２】埋設型の基礎ブロックと境界ブロックによる境界構造の説明図である。
【図１３】高さの低い境界ブロックを用いた境界構造の説明図である。
【図１４】従来型の側溝部材を用いた防草機能を有する境界構造の説明図である。
【図１５】従来型の側溝部材を用いた防草機能を有する境界構造の説明図である。
【図１６】従来型の側溝部材を用いた防草機能を有する境界構造の説明図である。
【図１７】従来型の側溝部材を用いた防草機能を有する境界構造の説明図である。
【発明を実施するための形態】
【００１７】
以下、発明を実施するための形態を、図を用いて説明する。図１は、一般的に流通している境界ブロックの一例を断面図として示した説明図である。このような境界ブロックには、片側に勾配のある、JIS規格Ａ型１００ａ、JIS規格Ｂ型１００ｂ、JIS規格Ｃ型１００ｃや、両側に勾配を設けた１００ｄ等の定型の規格によって定められたものがある。これらの定型規格の境界ブロックは、表面に凹凸の無い単純な台形形状の断面に形成されており、この定型規格の境界ブロックの場合横幅が１７０〜２４０ｃｍ、高さが２００〜３００ｃｍである。本願発明は、このような単純な台形断面（矩形断面を含む）を有する定型規格の境界ブロックを用いるにも関わらず、防草機能のある舗装道路の境界構造を提供するものである。
【００１８】
図２は、内部に略矩形の排水管路３を有した側溝部材１の断面図を表している。側溝部材１の外観形状は略矩形に形成されるものである。側溝部材１は、排水管路３上方の上壁４の上面部分に設けた台形状の隆起部５を有している。隆起部５の上面の幅は、側溝部材１の横幅寸法の１／２〜１／４の幅に形成されており、側溝部材１の中央よりも一方側（舗装道路側）に偏った位置に設けられている。また、隆起部５の上面は、施工された際に舗装面の高さと一致し、地表面に露出する形で配置される部分となっている。図には示していないが隆起部５には内外を貫通させる孔を設けており、雨水等を排水管路３内に取り込んで排水するようになっている。
【００１９】
隆起部５の舗装道路側の側面６は傾斜面になっており、側面６の下端には楔状の断面形状を有する切り欠き状の凹部７が形成されている。また、凹部７は側溝部材１の上部の角部に設けられたものであり、施設した舗装材によって覆われるようになっている。凹部７と凹部７内に充填される形で施工された舗装材によって形成される境界の形状はＶ字状を成すため、この部分に雑草の種子が入り込んだとしても、最下点に達した後は植物の性質上成長は抑制される。凹部７は、このような防草機能を発揮するトラップを形成するものとなっている。
【００２０】
図３は、側溝部材１の上に境界ブロック１００を載置した境界構造の外観斜視図である。
隆起部５の舗装道路側（図の左側）とは反対側である歩道側の側面８は傾斜面になっており、その下端９は境界ブロック１００を載置する平面状の載置凹部１０に接している。載置凹部１０の歩道側は、側溝部材１の側壁１１の側壁面１２から連続した側壁面１３を伴って上方に突出した側壁延長突起１４の下端１５に接している。この側壁延長突起１４の下端１５から側壁延長突起１４の頂面１６にわたる部分には傾斜した側壁面１７が形成されている。側壁面１３と側壁面１７の間の幅は、頂面１６がエッジ状を形成することがないように一定幅の平面を設けている。この側壁面１３と側壁面１７の間の幅は、載置する境界ブロック１００の底幅に応じて用意されるものである。
【００２１】
図２に見られるように、側壁面８と側壁面１７は、一例として下方に向かって幅を狭めるように対向した傾斜面を構成している。これは、最適な施工状体として、境界ブロック１００の底面の端縁が側壁面８と側壁面１７の一方若しくは双方に接することを意図したものであり、境界ブロック１００の底面が載置凹部１０と水平に設置されることを意図したものである。施工時には、図３、図４のように、境界ブロック１００の底面と載置凹部１０の間にモルタルが充填され両者は隙間なく接着される。
図３は、側溝部材１に境界ブロック１００を載せた状態を表した説明図であり、説明のために境界ブロック１００の手前側端面を斜めに切断した状態で表している。
【００２２】
図４は、アスファルト等の舗装材によって舗装された車道１０１と歩道１０２の境界部分に側溝部材１を用いて境界ブロック１００を設置した状態の断面図を表している。図５は、図４に示したＡ部の拡大図である。
側溝部材１は、車道１０１と歩道１０２の境界部分の地中１０３に埋設される。隆起部５の表面は車道１０１の表面と同一若しくはやや低くなるように配置される部分であり、車道１０１に降った雨水などを内部の排水管路に導くために内外に貫通した孔が設けられている。
【００２３】
図４に示したように、側溝部材１の側壁２に連続する側面を伴って上方に突出した側壁延長突起１４は歩道１０２を構成するアスファルト等の舗装材によって覆われる。この際、境界ブロック１００と側壁延長突起１４の間に形成される隙間（空間）１８に舗装材が充填される。この施工構造は、境界ブロック１００と歩道１０２を構成する舗装材との接触部分に生じる隙間１０５に雑草の根が侵入した場合に、雑草の成長を阻害する作用を有している。
雑草が隙間１０５に侵入すると、その根は重力方向に沿って伸びようとする。すなわち、隙間１０５に侵入した雑草の根は隙間をこじ開けながら側溝部材１に向かって伸びようとする。この際、雑草の根が地中１０３まで到達すると、スペースと水分と栄養を取得するため雑草の成長は止まらず、雑草の成長に伴って歩道１０２を崩壊させたり、歩行の障害になったりする。
【００２４】
しかしながら、上記の側溝部材１と境界ブロック１００の組み合わせ構造の場合、雑草の根が地中１０３に到達するのを防止することができる。すなわち、雑草の根が隙間１８をこじ開けて下方に伸び最下点である側溝部材１（接触部１０６）に到達したとしても、植物の性質上側壁延長突起１４の側壁面１７に沿ってアスファルトとの接触部分をこじ開けてまで遡ることがなく、側壁延長突起１４を乗り越えないからである。すなわち、隙間（空間）１８に充填された舗装材と側壁延長突起１４の側壁面１７がトラップとなって根の乗り越えを防止することができるわけである。
【００２５】
側壁延長突起１４は、角管状を成した側溝部材１の角部から突出した部位であるため、搬送時や施工時に他のコンクリート部材と衝突しやすい部位である。このため、側壁延長突起１４は、他の側溝部材や境界ブロックとの衝突等の衝撃を受けても簡単に破損して消失しないような幅（厚み）を設けてその強度を高めている。
【００２６】
また、載置凹部１０の底面と、この底面に接する側壁延長突起１４の側壁面１７が成す角度θは、６０度以下が好ましい。また、なだらかになりすぎると根を上に向けることができなくなるため、実製品では、角度θを２０度から４５度程度で設計することが多い。
また、全幅が概ね４２０〜５２０ｍｍの側溝部材１の場合、側壁延長突起１４の高さＹは３０ｍｍ程度である。
【００２７】
図６は、本発明の他の実施例に関する説明図である。側溝部材２０は、前述した側溝部材１と同様に、内部に排水管路を設けた矩形の外形に形成されたコンクリート製の管路構成部材である。なお、側溝部材２０の説明において、側溝部材１と同一の構成については一部同一の符号を付してその説明を省略する。
側溝部材２０の上面には、側溝部材１と同様に上壁４の上面部分に台形状の隆起部５を有している。この例における隆起部５の上面の幅は側溝部材２０の横幅寸法の１／４程度に形成されており、中央よりも一方側（舗装道路側）に偏った位置に設けられている。また、隆起部５の上面は、施工された際に舗装面の高さと一致し、地表面に露出する形で配置される部分となっている。
【００２８】
側溝部材２０は、隆起部５の歩道側に境界ブロック１００を載置する平面状の載置凹部２１を設けている。また、載置凹部２１の歩道側には、載置凹部２１の側壁面１７を形成する隆起部２２を設けている。隆起部２２は、側壁１１の側壁面１２から連続した側壁面１３を伴って上方に隆起させた部位であり、前述した側壁延長突起１４に相当する部分である。図に示しているように、境界ブロック１００は載置凹部２１の中に配置され固定される。
【００２９】
上記側溝部材２０と境界ブロック１００の組み合わせによる境界構造においても、隆起部２２の側壁面１７が侵入した雑草の根の乗り越えを防止し、繁殖を抑制すことができるようになっている。
【００３０】
図７は、本発明の他の実施例に関する説明図である。側溝部材３０は、前述した側溝部材１と同様に、内部に排水管路を設けた矩形の外形に形成されたコンクリート製の管路構成部材である。なお、側溝部材３０の説明において、側溝部材１と同一の構成については一部同一の符号を付してその説明を省略する。
側溝部材３０は、隆起部５の歩道側に境界ブロック１００を載置する平面状の載置凹部２１を設けている。また、載置凹部２１の歩道側には、載置凹部２１の側壁面１７を形成する突起状の隆起部３２を設けている。
隆起部３２は、側壁１１の側壁面１２から連続した側壁面１３を伴って上方に隆起させた部位であり、前述した側壁延長突起１４に相当する部分である。境界ブロック１００は載置凹部２１の中に配置され固定される。
【００３１】
境界ブロック１００との間の空間によって雑草の根の成長を抑止するトラップを形成する点は前述した各例と同一であり、この構造によって雑草の繁殖を防止するようになっている。側溝部材３０は、上壁４表面の歩道側の一部に台形状の隆起部３２を設けたものである点を除き、前術した側溝部材２０と同一の構造および作用を有している。
【００３２】
図８は前述した側溝部材１にJIS規格Ａ型の境界ブロック１００ａ、図９はJIS規格Ｂ型の境界ブロック１００ｂ、図１０はJIS規格Ｃ型の境界ブロック１００ｃを装着した場合をそれぞれ表した説明図である。
各境界ブロックは、流通量が多く一般的に使用されているものである。側溝部材１および、前述した各側溝部材２０，３０は、これら流通量が多く一般的に使用されている境界ブロックを使用するにも関わらず、防草効果を発揮することができるものである。
【００３３】
図１１は、板状の側溝板２００と境界ブロック１００との組み合わせによる防草効果を有する舗装路の境界構造に関する説明図である。
側溝板２００の車道側の側面２０６は傾斜面になっており、側面２０６の下端には楔状の断面形状を有する切り欠き状の凹部２０７が形成されている。凹部２０７と施設された舗装材１０１の隙間は、Ｖ字状を形成するため隙間に雑草の種子が入り込んだ場合に防草機能を発揮するトラップを形成している。
【００３４】
側溝板２００の歩道側には、前述した側溝部材１と同様の側壁延長突起１４と境界ブロック１００を載置する平面状の載置凹部１０３を有している。この側溝板２００は境界ブロック１００との組み合わせによって、防草効果を有する車道と歩道の境界構造を提供するものとなっている。
【００３５】
図１２は、埋設型の基礎ブロック３００と境界ブロック１００の組み合わせを表した説明図である。基礎ブロック３００は、コンクリート製の板状体であり、長手方向に亘る中央に境界ブロック１００を載置するための載置凹部３０１を設けている。載置凹部３０１の深さは、２０ｍｍから１１０ｍｍの間であるが、３０ｍｍ程度が最も多い。溝状に形成された載置凹部３０１の両脇は、０度〜６０度の間で、角度を有した側壁面３０２が設けられている。
この構造では、境界ブロック１００とアスファルト等の舗装材３０３との隙間に雑草の根が侵入した場合であっても、下方に伸びた根が側壁面３０２を超えて伸びるのを防止するようになっている。
【００３６】
図１３は、前述した排水管路３を内部に有した側溝部材１に、高さの低い境界ブロック４００を載置し、境界ブロック４００を境界として車道１０１と歩道１０２を区分した状態を表したものである。基本的な防草機能は、前述した通りである。
【産業上の利用可能性】
【００３７】
本発明は、車道と車道の間、車道と歩道の間、歩道と歩道の間といった舗装路の境界部において防草機能を有する境界構造に利用可能である。
【符号の説明】
【００３８】
１  側溝部材
３  排水管路
５  隆起部
１０  載置凹部
１４  側壁延長突起
１５  下端
１６  頂面
１７  側壁面
１８  隙間（空間）
１００  境界ブロック
【要約】      （修正有）【課題】一般的に流通している既存の各種の境界ブロックを使用して、防草効果を発揮させることができる側溝部材、側溝板、基礎ブロック、境界構造、コンクリートブロックセットを提供する。【解決手段】舗装した車道１０１又は歩道１０２の境界において縁石を構成する矩形状若しくは台形状の断面形状を有した境界ブロック１００を配置するための側溝部材１であって、側溝部材１は境界ブロックを載置する載置凹部１０を長手方向に沿って有し、載置凹部１０の幅を境界ブロック１００の底幅よりも広く形成するとともに、載置凹部１０の側壁面と境界ブロック１００の底部付近の側面との間に、路面を構成する舗装材を充填可能な空間１８を設けたことを特徴とする側溝部材１。【選択図】図４【図１】
0006727479.tif 000002
【図２】
0006727479.tif 000003
【図３】
0006727479.tif 000004
【図４】
0006727479.tif 000005
【図５】
0006727479.tif 000006
【図６】
0006727479.tif 000007
【図７】
0006727479.tif 000008
【図８】
0006727479.tif 000009
【図９】
0006727479.tif 000010
【図１０】
0006727479.tif 000011
【図１１】
0006727479.tif 000012
【図１２】
0006727479.tif 000013
【図１３】
0006727479.tif 000014
【図１４】
0006727479.tif 000015
【図１５】
0006727479.tif 000016
【図１６】
0006727479.tif 000017
【図１７】
0006727479.tif 000018